【事件の表示】
　特願２００８−　７５６９７「液晶表示装置および液晶表示方法、並びに、表示制御装置および表示制御方法」拒絶査定不服審判事件〔平成２１年１０月　８日出願公開、特開２００９−２２９８５８〕について、次のとおり審決する。
【結　論】
　本件審判の請求は、成り立たない。
【理　由】
１　手続の経緯  
　
　平成２０年　３月２４日　特許出願
　平成２２年　２月　５日　拒絶理由通知（同年２月９日発送）
　平成２２年　４月　５日　意見書・手続補正書
　平成２２年　４月２８日　拒絶査定（同年５月６日送達）
　平成２２年　８月　６日　本件審判請求・手続補正書
　平成２３年　６月２９日　審尋（同年６月３０日発送）
　 
２　平成２２年８月６日付け手続補正についての補正却下の決定 
　
[補正却下の決定の結論] 
　
　平成２２年８月６日付け手続補正を却下する。 
　
[理由］独立特許要件違反 
　
　平成２２年８月６日付け手続補正（以下「本件補正」という。）により、本件補正前の請求項は、 
「【請求項１】
　マトリクス状に配設された画素に対応する液晶表示素子から構成される表示手段と、
　前記画素に対応する前記液晶表示素子に接続された走査線を駆動する第１の駆動手段と、
　前記画素に対応する前記液晶表示素子に接続された信号線を駆動する第２の駆動手段と、
　前記表示手段に表示させるフレームに対応する画像信号を取得する画像取得手段と、
　前記画像取得手段により取得された前記画像信号に基づいて、前記第１の駆動手段および前記第２の駆動手段を制御する制御手段と
　を備え、
　前記制御手段は、
　前記表示手段に表示される前記フレームを構成する複数の水平走査ラインを走査するフレーム領域を、前記複数の水平走査ラインのうちの奇数番目に存在する奇数ラインのみを走査する複数の奇数ライン用領域に分割するとともに、
　　前記フレーム領域を、前記複数の奇数ライン用領域それぞれとは異なる偶数ライン用領域であって、且つ、前記複数の水平走査ラインのうちの偶数番目に存在する偶数ラインのみを走査する複数の前記偶数ライン用領域に分割し、
　　前記奇数ライン用領域と前記偶数ライン用領域とを交互に切換えて走査することにより前記フレームを構成する前記複数の水平走査ラインを走査し、且つ、切換え後の最初の水平走査ラインの書き込み時間が、他の水平走査ラインの書き込み時間よりも長く設定されるように、前記第１の駆動手段を制御し、
　　前記奇数ライン用領域と前記偶数ライン用領域との切換え時に極性信号が反転するように、前記第２の駆動手段を制御する
　液晶表示装置。
　　【請求項２】
　前記制御手段は、最初に走査される水平走査ラインどうし、又は最後に走査される水平走査ラインどうしの少なくとも一方が隣接しないように分割された前記奇数ライン用領域及び前記偶数ライン用領域を交互に切換えて走査するように、前記第１の駆動手段を制御する
　請求項１に記載の液晶表示装置。
・・・」から、
「【請求項１】
　マトリクス状に配設された画素に対応する液晶表示素子から構成される表示手段と、
　前記画素に対応する前記液晶表示素子に接続された走査線を駆動する第１の駆動手段と、
　前記画素に対応する前記液晶表示素子に接続された信号線を駆動する第２の駆動手段と、
　前記表示手段に表示させるフレームに対応する画像信号を取得する画像取得手段と、
　前記画像取得手段により取得された前記画像信号に基づいて、前記第１の駆動手段および前記第２の駆動手段を制御する制御手段と
　を備え、
　前記制御手段は、
　前記表示手段に表示される前記フレームを構成する複数の水平走査ラインを走査するフレーム領域を、前記複数の水平走査ラインのうちの奇数番目に存在する奇数ラインのみを走査する複数の奇数ライン用領域に分割するとともに、
　　前記フレーム領域を、前記複数の奇数ライン用領域それぞれとは異なる偶数ライン用領域であって、且つ、前記複数の水平走査ラインのうちの偶数番目に存在する偶数ラインのみを走査する複数の前記偶数ライン用領域に分割し、
　前記奇数ライン用領域と前記偶数ライン用領域とを交互に切換えて走査することにより前記フレームを構成する前記複数の水平走査ラインを走査し、且つ、切換え後の最初の水平走査ラインの書き込み時間が、他の水平走査ラインの書き込み時間よりも長く設定されるように、前記第１の駆動手段を制御し、
　　前記奇数ライン用領域と前記偶数ライン用領域との切換え時に極性信号が反転するように、前記第２の駆動手段を制御
し、
　
切換え前の前記奇数ライン用領域と切換え後の前記偶数ライン用領域とは、切換え前後の前記奇数ライン用領域および前記偶数ライン用領域それぞれにおいて、最初に走査される水平走査ラインどうし、または最後に走査される水平走査ラインどうしの少なくとも一方が隣接しないように、前記フレーム領域を分割して得られる領域である
　液晶表示装置。
・・・」に補正された。 （下線は、補正箇所を明示するために請求人が付した。）
　
　したがって、この補正は、請求項１を削除し、補正前の請求項２を補正後の請求項１とすると共に、実質的に、「最初に走査される水平走査ラインどうし、又は最後に走査される水平走査ラインどうし」が比較される「奇数ライン用領域」と「偶数ライン用領域」の組合せが、「切換え前の前記奇数ライン用領域と切換え後の前記偶数ライン用領域」であることを限定するものである。
　
　以上のことから、この補正は、特許請求の範囲の減縮を目的とするものに該当する。 
　そこで、本件補正後の特許請求の範囲に記載されている事項により特定される発明が特許出願の際独立して特許を受けることができるものであるか（特許法第１７条の２第６項において準用する特許法第１２６条第５項の規定に適合するか）について検討する。 
　
（１）本件補正後の本願発明 
　
　本願の請求項１に係る発明（以下「本願補正発明」という。）は、本件補正により補正された明細書、特許請求の範囲、及び図面の記載からみて、その請求項１に記載された事項により特定される以下のものと認める。 
「マトリクス状に配設された画素に対応する液晶表示素子から構成される表示手段と、
　前記画素に対応する前記液晶表示素子に接続された走査線を駆動する第１の駆動手段と、
　前記画素に対応する前記液晶表示素子に接続された信号線を駆動する第２の駆動手段と、
　前記表示手段に表示させるフレームに対応する画像信号を取得する画像取得手段と、
　前記画像取得手段により取得された前記画像信号に基づいて、前記第１の駆動手段および前記第２の駆動手段を制御する制御手段と
　を備え、
　前記制御手段は、
　前記表示手段に表示される前記フレームを構成する複数の水平走査ラインを走査するフレーム領域を、前記複数の水平走査ラインのうちの奇数番目に存在する奇数ラインのみを走査する複数の奇数ライン用領域に分割するとともに、
　前記フレーム領域を、前記複数の奇数ライン用領域それぞれとは異なる偶数ライン用領域であって、且つ、前記複数の水平走査ラインのうちの偶数番目に存在する偶数ラインのみを走査する複数の前記偶数ライン用領域に分割し、
　前記奇数ライン用領域と前記偶数ライン用領域とを交互に切換えて走査することにより前記フレームを構成する前記複数の水平走査ラインを走査し、且つ、切換え後の最初の水平走査ラインの書き込み時間が、他の水平走査ラインの書き込み時間よりも長く設定されるように、前記第１の駆動手段を制御し、
　前記奇数ライン用領域と前記偶数ライン用領域との切換え時に極性信号が反転するように、前記第２の駆動手段を制御し、
　切換え前の前記奇数ライン用領域と切換え後の前記偶数ライン用領域とは、切換え前後の前記奇数ライン用領域および前記偶数ライン用領域それぞれにおいて、最初に走査される水平走査ラインどうし、または最後に走査される水平走査ラインどうしの少なくとも一方が隣接しないように、前記フレーム領域を分割して得られる領域である
　液晶表示装置。」
　
（２）引用発明
（Ａ）引用発明１
（２Ａ−１）引用刊行物１の記載事項
　原査定の拒絶の理由に引用され、本願の出願前に頒布された刊行物である特開平１１−３５２９３８号公報（以下「引用刊行物１」という。）には、「液晶表示装置及びその駆動方法並びに走査線駆動回路」（発明の名称）の発明に関して、以下の事項が記載されている。 
　
＜記載事項１＞
「【０００１】
【発明の属する技術分野】本発明は、ノートブック型パーソナルコンピュータやポータブルＴＶ（テレビジョン）、携帯型情報端末等のディスプレイ装置として利用される液晶表示装置等の液晶表示装置及びその駆動方法、並びにその液晶表示装置に好適に用いられる走査線駆動回路に関する。」
　
＜記載事項２＞
「【００１４】図２２は、上記液晶表示装置における画素アレイ部と信号線駆動回路及び走査線駆動回路をより詳しく表した図である。
【００１５】この液晶パネル１８１は多数の走査線（走査信号線又はゲートライン）ＳＬ１〜ＳＬｍ及び多数の信号線（データ信号線又はソースライン）ＤＬ１〜ＤＬｎが互いに交差するように設けられ、隣接する２本の走査線と隣接する２本の信号線とで区切られた領域に画素（画素電極）がマトリクス状に設けられている。
【００１６】信号線駆動回路１８２には表示用信号ＤＡＴＡ、クロック信号ＣＬＯＣＫ１、スタート信号ＳＴＡＲＴ１が入力され、走査線駆動回路１８３にはクロック信号ＣＬＯＣＫ２、スタート信号ＳＴＡＲＴ２が入力されて画素アレイを駆動するようになっている。
【００１７】図２３に各画素の構成を示す。
【００１８】各画素にはスイッチング素子としての薄膜トランジスタＳＷと、液晶容量ＣＬ及び補助容量ＣＳが設けられている。ここで、補助容量ＣＳは液晶誘電率の異方性、画素ＴＦＴのリーク電流、画素ＴＦＴのゲート・ソース間の寄生容量等に起因する画素電位の変動等の影響を抑制するために設けられている。この補助容量ＣＳの一方の電極（画素電極）及び液晶容量ＣＬの一方の電極は、画素ＴＦＴ（ＳＷ）を介して信号線ＤＬｊに接続され、画素ＴＦＴ（ＳＷ）のゲートは走査線ＳＬｉに接続されている。液晶容量ＣＬの一方の電極に対向する他方の電極（対向共通電極）は液晶層を挟む他方の基板に形成され、補助容量ＣＳの他方の電極は全画素に共通の共通電極線又は隣接する走査線に接続されている。さらに、信号線ＤＬｊは上述の信号線駆動回路１８２に接続され、走査線ＳＬｉは走査線駆動回路１８３に接続されている。
【００１９】上記走査線駆動回路１８３は、走査線を順次走査して各走査線に接続されている画素ＴＦＴのゲートに２０Ｖ〜３０Ｖ程度の電圧を必要期間だけ印加する機能を有している。
【００２０】図２４に走査線駆動回路１８３の一般的な構成を示す。
【００２１】この走査線駆動回路１８３は、順次走査を行うためにスタート信号ＳＰＧ及びクロック信号ＣＬＧ等が入力されるシフトレジスタ２１１、ロジックレベルから走査線を駆動するのに必要な電圧に変換するためのレベルシフタ２１２、走査線を駆動するための出力バッファ２１３等からなる。この図２４では、走査線駆動回路１８３からの出力を有効にするためのタイミング信号ＧＯＮを外部から入力しているが、例えばクロック信号ＣＬＧのロー期間を用いて走査線駆動回路１８３の内部で生成することもできる。
【００２２】図２５はこの走査線駆動回路１８３に関するタイミングの一例である。
【００２３】この図２５に示すように、タイミング制御回路からのスタート信号ＳＰＧ及びクロック信号ＣＬＧに基づいて、走査線ＳＬ１、ＳＬ２、・・・が順次走査される。
【００２４】一方、上記信号線駆動回路１８２は、入力されるデータ信号によってアナログドライバとデジタルドライバとに大別され、種々の方式のものが用いられている。いずれの場合にも、信号線駆動回路の働きは入力されたデータ信号を１水平期間にわたって順次サンプリング・保持し、さらに、データ信号がデジタル信号の場合にはＤ／Ａ変換を行い、必要なタイミングで信号線にアナログ信号として出力する。そして、上記走査線駆動回路１８３により走査線がアクティブ状態になると画素ＴＦＴが導通状態になって、信号線上に出力された信号が画素に書き込まれる。画素に書き込まれた電荷は１フレーム期間保持されて表示状態が維持される。」
　
＜記載事項３＞
「【００３５】そこで、この問題を解決するために、例えば特開平８−３２０６７４号公報には、液晶表示装置の全画面にわたって飛び越し走査を行い、奇数ラインの飛び越し走査から偶数ラインの飛び越し走査に移行するときにデータ信号の極性を反転させることにより極性反転の周波数を低減して低消費電力化を図ることが提案されている。しかし、例えば、全画面を飛び越し走査して、行反転駆動（ゲートライン反転）の様な極性配置を得る場合、以下のようなチラツキの問題が生じる。この場合、まず、図３０（ａ）に示すように、行反転の状態から、奇数行の走査線が飛び越し走査されて奇数行の画素のみに負の電位が与えられ、図３０（ｂ）に示すように全画面の画素極性が負の状態に遷移する。次に、偶数行の走査線のみが飛び越し走査されて偶数行の画素のみに正の電位が与えられ、図３０（ｃ）に示すように行反転の状態に遷移する。続いて、奇数行の走査線が飛び越し走査されて奇数行の画素のみに正の電位が与えられ、図３０（ｄ）に示すように全画面の画素極性が正の状態に遷移する。その後、偶数行の走査線のみが飛び越し走査されて偶数行の画素のみに負の電位が与えられ、図３０（ａ）に示した行反転の状態に戻る。
【００３６】ここで、図３０（ｂ）及び図３０（ｄ）の状態では隣接する行間での補償が行われず、チラツキが生じることになる。さらに、チラツキの無い図３０（ａ）及び図３０（ｃ）の状態から走査が進むにつれて徐々にチラツキがある図３０（ｂ）及び図３０（ｄ）の状態に移行していくため、単純なフレーム反転駆動の場合よりもむしろ大きなチラツキが観測されることが多い。
【００３７】しかし、このような全画面にわたる飛び越し走査方法では、動画表示において、チラツキのみならず、画面上を縞模様が流れる等の不具合（以下「縞流れ」と呼ぶ）が起こることが多い。全画面に亘る飛び越し走査を行った時に生じるチラツキを解消する方法として、例えば特開平8-320674号公報では、隣接した列で極性を異ならせ結果としてドット反転駆動と同様の極性配置を得る方法が提案されている。この方法では、確かにチラツキは解消されるものの、前後のフレームの画像が奇数行、偶数行それぞれ同時に表示されることとなるので、動きの大きな動画像の場合、横方向に櫛状の輪郭が表示される等の著しい画質劣化を生じるという問題が生じる。また、縞流れは、列毎の極性反転を加えない場合（すなわち同一行の画素は全て同一極性とする場合）に比してかなり改良されるものの、依然として観察可能な程度に発生することがある。
【００３８】本発明はこのような従来技術の課題を解決すべくなされたものであり、極性反転の周波数低減による低消費電力駆動とともに、チラツキ無しでしかも垂直方向の輝度傾斜や動画表示時の妨害が生じない高画質の表示とを両立させることができる液晶表示装置及びその駆動方法、並びにそれに好適に用いられる走査線駆動回路を提供することを目的とする。」
　
＜記載事項４＞
「【００６９】（実施形態１）図１は本実施形態のマトリクス型液晶表示装置の構成を示す概略図である。
【００７０】この液晶表示装置は表示用画素を選択するためのスイッチング素子としてＴＦＴを用いた液晶パネル１、信号線駆動回路２、走査線駆動回路３、タイミング制御回路４、電源回路５、データ信号用バッファ６、走査順制御回路７、データ信号組替え供給回路８等を備え、外部からデータ信号、同期信号、クロック信号等の表示に関わる信号が入力されるようになっている。この外部から入力される信号については、従来の液晶表示装置と同様とすることができる。
【００７１】この液晶表示装置において、図２１に示した従来の液晶表示装置と比較した場合の大きな相違点は、以下の通りである。
【００７２】（１）ブロック内では第１及び第２グループ走査線群の一方のグループに属する全走査線を選択した後で、他方のグループに属する全走査線を選択して飛び越し走査を行い、かつ、ブロック間では第１ブロックに属する全走査線を選択した後で次のブロックに属する走査線を選択するように走査順を制御する走査順制御回路７を備えていること、（２）時系列的なデータ信号を受け取って走査順に対応した順番に組替えて信号線駆動回路に供給するデータ信号組替え供給回路８を備えていること、（３）走査線駆動回路が、ブロック内で第１グループ及び第２グループの走査を行い、かつ、ブロック間ではブロック内の全走査を行った後で次のブロックの走査を行う走査法に適した回路構成となっていること。
【００７３】以上の構成により、ブロック内での飛び越し走査及びブロック間での走査を行うことができる。従って、第１グループ及び第２グループでデータ信号の極性を逆にすることで表示状態を良好にすると共に、液晶の反転駆動周波数を１ブロック当たりの走査線数に応じて低減することができる。
【００７４】例えば、第１グループ走査線群に属する走査線と第２グループ走査線群に属する走査線とを隣接して交互に配置すると、１垂直期間毎に逆極性で、かつ、隣接する走査線間で逆極性のデータ信号（信号電圧）が供給されることになるので、ゲートライン反転駆動方式と同様の画素極性状態を得ることができる。
【００７５】さらに、隣接する信号線で第１グループ走査線群の選択期間中に与えるデータ信号（第１極性）と第２グループ走査線群の選択期間中に与えるデータ信号（第２極性）とを逆にすると、ドット反転駆動方式と同様の画素極性状態を得ることができる。
【００７６】ここで、全走査線の本数をＭ本、１ブロック当たりの走査線の本数をＮ本とすれば、従来のゲートライン反転駆動方式やドット反転駆動方式における１フレーム当たりの極性反転回数がＭ／２回であるのに対して、本実施形態による場合にはＭ／Ｎ回となるので、反転駆動に伴う消費電力を従来のゲートライン反転駆動方式の場合の２／Ｎに削減することができる。尚、ここでは説明を簡単にするためにＭ、Ｎを偶数としているが、Ｎが奇数の場合には反転駆動周波数が従来の１／Ｎに低減され、反転駆動に伴う消費電力の増大も従来の１／Ｎに削減することができる。
【００７７】以下に、この液晶表示装置の構成について、さらに詳しく説明する。
【００７８】この液晶表示装置において、外部から入力されるデータ信号は、例えば１８ビットのデジタル信号であり、ＲＧＢの各色が６ビットで構成される。この場合、信号線駆動回路２としては６ビットのデジタルドライバＬＳＩが用いられ、液晶パネル１には各色６４階調の表示が行われる。
【００７９】入力された１８ビットのデータ信号（Ｒ０〜Ｒ５、Ｇ０〜Ｇ５、Ｂ０〜Ｂ５）は、データ信号用バッファ６を介してデータ信号組替え供給回路８に送られる。
【００８０】データ信号組替え供給回路８に入力された１８ビットの表示データは、データ信号組替え供給回路８の内部メモリに一旦蓄えられた後、走査順序に対応して１水平期間単位で順番を組替えられ、信号線駆動回路２に供給される。
【００８１】液晶パネル１の基本構成は、図２２及び図２３に示した従来の液晶表示装置と同様な構成であり、例えば６４０×４８０画素構成（各画素はＲＧＢの３ドット構成）の１０．４型ＶＧＡ（Video Graphics Array）とすることができる。
【００８２】信号線駆動回路２は、例えば６ビットのデジタルドライバＬＳＩであり、図２６に示したような従来の液晶表示装置と同様なものを用いることができる。具体的には、シャープ株式会社製ＬＨ１６８９Ｆや日本電気株式会社製μＰＤ１６６２２等のドライバＬＳＩを使用することができる。
【００８３】ゲート信号駆動回路３は、ブロック内での飛び越し走査と共にブロック間での走査とが可能なように構成される。」
　
＜記載事項５＞
「【００８９】タイミング制御回路４では、従来の液晶表示装置と同様に、入力された同期信号Ｈｓｙｎｃ、Ｖｓｙｎｃ及びクロック信号ＣＬＫに基づいて各回路部に必要なタイミング信号が生成される。
・・・
【００９２】走査順制御回路７は本発明における特徴的な回路であり、上述したブロック内での飛び越し走査及びブロック間での走査を行うためのタイミング信号を生成するものである。
【００９３】この走査順制御回路７で生成される信号としては、反転駆動のためのタイミング信号及び走査順制御のためのタイミング信号が挙げられ、各々信号線駆動回路２及び走査線駆動回路３に供給される。」
　
＜記載事項６＞
「【０１６８】（実施形態９）本実施形態９では、隣接するブロックにおいて、ブロック内で第１グループ走査線群ａ及び第２グループ走査線群ｂが選択される順序を逆にする場合について説明する。
【０１６９】図１８は、本実施形態における走査線の走査順と液晶パネル上の各画素の極性を示す図である。ここでは、液晶パネル上の各画素の極性がゲートライン反転駆動方式と同様の極性パターンになる場合を示している。
【０１７０】この図１８において、１走査線上の画素の極性は全て同じであり、交互に配置された第１グループ走査線群ａに属する走査線と第２グループ走査線群ｂに属する走査線とでは極性が逆である。そして、第１ブロック及び第３ブロック内では第１グループ走査線群ａに属する走査線Ｇ１、Ｇ３が先に選択されて１本おきの飛び越し走査が行われ、第２ブロック及び第４ブロックでは第２グループ走査線群ｂに属する走査線Ｇ２、Ｇ４が先に選択されて１本おきの飛び越し走査が行われ、ブロック間では順次走査が行われている。
【０１７１】図１９は、本実施形態における走査線駆動回路からの出力Ｇ１〜Ｇ１６と信号線駆動回路からの出力のタイミングを示す図である。尚、この図において、Ｇ（ｉ）は走査線駆動回路からのｉ番目の出力、即ち、ｉ番目の走査線上のＴＦＴがオン状態となるタイミングを示している。
【０１７２】この図１９に示すように、第１、第３ブロックでは第１グループ走査線群ａを先に選択し、それと隣接する第２、第４ブロックでは第２グループ走査線群ｂを先に選択する。前の第１ブロックにおいて最後に選択される走査線と次のブロックにおいて最初に選択される走査線（例えばＧ４とＧ６、Ｇ７とＧ９、Ｇ１２とＧ１４）とでデータ信号が同じ極性になるので、反転駆動周波数をさらに低減することができる。
【０１７３】比較のために、図７に示した隣接するブロック内で第１グループ走査線群ａと第２グループ走査線群ｂとの選択順を同じにした液晶表示装置について、図２０に走査線駆動回路からの出力Ｇ１〜Ｇ１６と信号線駆動回路からの出力のタイミングを示す。
【０１７４】上記図１９及び図２０の比較から、図１９の場合には信号線駆動回路からの出力が各ブロック間で反転しておらず、信号線駆動回路の極性反転の周波数が図２０の場合に比べて１／２となることがわかる。
【０１７５】尚、本実施形態９においては各ブロックを４本ずつの走査線から構成したが、それ以外の本数でも同様の効果が得られる。」
　
　また、図１９からは、引用刊行物１に記載された発明の液晶表示装置に関して、以下の事項が読み取れる。
＜事項１＞
・走査線駆動回路３からの出力Ｇ１〜Ｇ１６が出力される順番が、Ｇ１→Ｇ３→Ｇ２→Ｇ４→Ｇ６→Ｇ８→Ｇ５→Ｇ７→Ｇ９→Ｇ１１→Ｇ１０→Ｇ１２→Ｇ１４→Ｇ１６→Ｇ１３→Ｇ１５→となっている。
・奇数番目の走査線Ｇ１、Ｇ３、・・・、Ｇ１５は、いずれも各ブロックにおいて第１グループ走査線群ａに属しており、対応する信号線駆動回路２の出力の極性は、すべて正極性である。
・奇数番目の走査線Ｇ２、Ｇ４、・・・、Ｇ１６は、いずれも各ブロックにおいて第２グループ走査線群ｂに属しており、対応する信号線駆動回路２の出力の極性は、すべて負極性である。
　
（２Ａ−２）引用刊行物１に記載された発明
　上記引用刊行物１の段落【０１６８】〜【０１７５】に記載される液晶表示装置の実施形態９に基づいて引用発明１を認定する。
　なお、認定するに際し、実施形態９を説明する段落【０１６８】に「本実施形態９では、隣接するブロックにおいて、ブロック内で第１グループ走査線群ａ及び第２グループ走査線群ｂが選択される順序を逆にする場合について説明する。」と、また、段落【０１７３】に「比較のために、図７に示した隣接するブロック内で第１グループ走査線群ａと第２グループ走査線群ｂとの選択順を同じにした液晶表示装置について、図２０に走査線駆動回路からの出力Ｇ１〜Ｇ１６と信号線駆動回路からの出力のタイミングを示す。」とあるように、実施形態９は、図７に対応する実施形態１と、隣接するブロックにおいて、ブロック内で第１グループ走査線群ａ及び第２グループ走査線群ｂが選択される順序を逆にしたことを除いて、同じ回路構成を有するものであるから、実施形態９の回路構成については、実施形態１の記載を参酌する。また、実施形態１において記載のない部分については、段落【００８１】に「液晶パネル１の基本構成は、図２２及び図２３に示した従来の液晶表示装置と同様な構成であり」とあるように、従来の技術の記載を参酌する。
　
（２Ａ−２−１）
　上記記載事項１には、「【０００１】【発明の属する技術分野】本発明は、ノートブック型パーソナルコンピュータやポータブルＴＶ（テレビジョン）、携帯型情報端末等のディスプレイ装置として利用される液晶表示装置等の液晶表示装置・・・に関する。」と記載されている。
　この記載によれば、引用刊行物１には、「液晶表示装置」の発明が記載されている。
　
（２Ａ−２−２）
　上記記載事項４には「【００７０】この液晶表示装置は表示用画素を選択するためのスイッチング素子としてＴＦＴを用いた液晶パネル１、信号線駆動回路２、走査線駆動回路３、タイミング制御回路４、電源回路５、データ信号用バッファ６、走査順制御回路７、データ信号組替え供給回路８等を備え、外部からデータ信号、同期信号、クロック信号等の表示に関わる信号が入力されるようになっている。・・・」と記載されている。
　この記載によれば、引用刊行物１に記載された「液晶表示装置」は、「液晶パネル１」、「走査線駆動回路３」、「信号線駆動回路２」、「データ信号用バッファ６」、「タイミング制御回路４、走査順制御回路７、データ信号組替え供給回路８」を備えている。
　
（２Ａ−２−３）
　上記記載事項２には「【００１５】この液晶パネル１８１は多数の走査線（走査信号線又はゲートライン）ＳＬ１〜ＳＬｍ及び多数の信号線（データ信号線又はソースライン）ＤＬ１〜ＤＬｎが互いに交差するように設けられ、隣接する２本の走査線と隣接する２本の信号線とで区切られた領域に画素（画素電極）がマトリクス状に設けられている。・・・【００１８】各画素にはスイッチング素子としての薄膜トランジスタＳＷと、液晶容量ＣＬ及び補助容量ＣＳが設けられている。・・・この補助容量ＣＳの一方の電極（画素電極）及び液晶容量ＣＬの一方の電極は、画素ＴＦＴ（ＳＷ）を介して信号線ＤＬｊに接続され、画素ＴＦＴ（ＳＷ）のゲートは走査線ＳＬｉに接続されている。・・・」と記載され、また、上記記載事項４には「【００８１】液晶パネル１の基本構成は、図２２及び図２３に示した従来の液晶表示装置と同様な構成であり、例えば６４０×４８０画素構成（各画素はＲＧＢの３ドット構成）の１０．４型ＶＧＡ（Video Graphics Array）とすることができる。」と記載されている。
　これらの記載によれば、引用刊行物１に記載された「液晶表示装置」が備える「液晶パネル１」は、「多数の走査線と多数の信号線の各交点に、マトリクス状に設けられている画素を有し、各画素は、スイッチング素子としての画素ＴＦＴと、液晶容量ＣＬ及び補助容量ＣＳを有する」ものである。
　
（２Ａ−２−４）
　上記記載事項２には、「【００１９】上記走査線駆動回路１８３は、走査線を順次走査して各走査線に接続されている画素ＴＦＴのゲートに２０Ｖ〜３０Ｖ程度の電圧を必要期間だけ印加する機能を有している。」と記載されている。
　この記載によれば、引用刊行物１に記載された「液晶表示装置」が備える「走査線駆動回路３」は、「前記各画素の画素ＴＦＴに接続された前記走査線に電圧を印加する」ものである。
　
（２Ａ−２−５）
　上記記載事項２には、「【００２４】・・・信号線駆動回路の働きは入力されたデータ信号を１水平期間にわたって順次サンプリング・保持し、さらに、データ信号がデジタル信号の場合にはＤ／Ａ変換を行い、必要なタイミングで信号線にアナログ信号として出力する。そして、上記走査線駆動回路１８３により走査線がアクティブ状態になると画素ＴＦＴが導通状態になって、信号線上に出力された信号が画素に書き込まれる。画素に書き込まれた電荷は１フレーム期間保持されて表示状態が維持される。」と記載されている。
　この記載によれば、引用刊行物１に記載された「液晶表示装置」が備える「信号線駆動回路２」は、「前記各画素の画素ＴＦＴに接続された前記信号線にアナログ信号を出力する」ものである。
　
（２Ａ−２−６）
　上記記載事項４には、「【００７９】入力された１８ビットのデータ信号（Ｒ０〜Ｒ５、Ｇ０〜Ｇ５、Ｂ０〜Ｂ５）は、データ信号用バッファ６を介してデータ信号組替え供給回路８に送られる。【００８０】データ信号組替え供給回路８に入力された１８ビットの表示データは、・・・」と記載されている。
　この記載によれば、引用刊行物１に記載された「液晶表示装置」が備える「データ信号用バッファ６」は、「表示データが入力される」ものである。
　
（２Ａ−２−７）
　上記記載事項４には、「【００８０】データ信号組替え供給回路８に入力された１８ビットの表示データは、データ信号組替え供給回路８の内部メモリに一旦蓄えられた後、走査順序に対応して１水平期間単位で順番を組替えられ、信号線駆動回路２に供給される。」と記載され、また、上記記載事項５には、「【００８９】タイミング制御回路４では、従来の液晶表示装置と同様に、入力された同期信号Ｈｓｙｎｃ、Ｖｓｙｎｃ及びクロック信号ＣＬＫに基づいて各回路部に必要なタイミング信号が生成される。・・・【００９３】この走査順制御回路７で生成される信号としては、反転駆動のためのタイミング信号及び走査順制御のためのタイミング信号が挙げられ、各々信号線駆動回路２及び走査線駆動回路３に供給される。」と記載されている。
　これらの記載によれば、引用刊行物１に記載された「液晶表示装置」が備える「タイミング制御回路４」は、「入力された同期信号Ｈｓｙｎｃ、Ｖｓｙｎｃ及びクロック信号ＣＬＫに基づいて各回路部に必要なタイミング信号を生成する」ものであり、同「走査順制御回路７」は、「走査順制御のためのタイミング信号を走査線駆動回路３に供給し、反転駆動のためのタイミング信号を信号線駆動回路２に供給する」ものであり、同「データ信号組替え供給回路８」は、「入力される表示データを走査順序に対応して１水平期間単位で順番を組替え、信号線駆動回路２に供給する」ものである。
　
（２Ａ−２−８）
（ア）
　上記記載事項６には、「【０１６８】（実施形態９）本実施形態９では、隣接するブロックにおいて、ブロック内で第１グループ走査線群ａ及び第２グループ走査線群ｂが選択される順序を逆にする場合について説明する。・・・【０１７０】この図１８において、１走査線上の画素の極性は全て同じであり、交互に配置された第１グループ走査線群ａに属する走査線と第２グループ走査線群ｂに属する走査線とでは極性が逆である。・・・」と記載されている。
　また、図１９からは、引用刊行物１に記載された発明の液晶表示装置に関して、事項１として、「・奇数番目の走査線Ｇ１、Ｇ３、・・・、Ｇ１５は、いずれも各ブロックにおいて第１グループ走査線群ａに属しており、対応する信号線駆動回路２の出力の極性は、すべて正極性である。・奇数番目の走査線Ｇ２、Ｇ４、・・・、Ｇ１６は、いずれも各ブロックにおいて第２グループ走査線群ｂに属しており、対応する信号線駆動回路２の出力の極性は、すべて負極性である。」ことが読み取れる。
　
　この記載及びこの事項によれば、引用刊行物１に記載された「液晶表示装置」において、「前記多数の走査線は、奇数番目の走査線が属する第１グループ走査線群ａと、偶数番目の走査線が属する第２グループ走査線群ｂに分割されている」ものである。
　
（イ）
　上記記載事項６には、「【０１７０】・・・そして、第１ブロック及び第３ブロック内では第１グループ走査線群ａに属する走査線Ｇ１、Ｇ３が先に選択されて１本おきの飛び越し走査が行われ、第２ブロック及び第４ブロックでは第２グループ走査線群ｂに属する走査線Ｇ２、Ｇ４が先に選択されて１本おきの飛び越し走査が行われ、ブロック間では順次走査が行われている。・・・【０１７２】この図１９に示すように、第１、第３ブロックでは第１グループ走査線群ａを先に選択し、それと隣接する第２、第４ブロックでは第２グループ走査線群ｂを先に選択する。前の第１ブロックにおいて最後に選択される走査線と次のブロックにおいて最初に選択される走査線（例えばＧ４とＧ６、Ｇ７とＧ９、Ｇ１２とＧ１４）とでデータ信号が同じ極性になるので、反転駆動周波数をさらに低減することができる。・・・」と記載されている。
　また、図１９からは、引用刊行物１に記載された発明の液晶表示装置に関して、事項１として、「・走査線駆動回路３からの出力Ｇ１〜Ｇ１６が出力される順番が、Ｇ１→Ｇ３→Ｇ２→Ｇ４→Ｇ６→Ｇ８→Ｇ５→Ｇ７→Ｇ９→Ｇ１１→Ｇ１０→Ｇ１２→Ｇ１４→Ｇ１６→Ｇ１３→Ｇ１５→となっている。」ことが読み取れる。
　
　この記載及びこの事項、並びに、上記（ア）の事項によれば、引用刊行物１に記載された「液晶表示装置」において、「第１グループ走査線群ａに属する奇数番目の走査線は、第１ブロック内の奇数番目の走査線である（Ｇ１→Ｇ３）のグループ（以下、「奇数グループ１」という。）、第２ブロックと第３ブロック内の奇数番目の走査線である（Ｇ５→Ｇ７→Ｇ９→Ｇ１１）のグループ（以下、「奇数グループ２」という。）、第４ブロック内の奇数番目の走査線である（Ｇ１３→Ｇ１５）のグループ（以下、「奇数グループ３」という。）とがそれぞれ、連続して走査されており、第２グループ走査線群ｂに属する偶数番目の走査線は、第１ブロックと第２ブロック内の偶数番目の走査線である（Ｇ２→Ｇ４→Ｇ６→Ｇ８）のグループ（以下、「偶数グループ１」という。）、第３ブロックと第４ブロック内の偶数番目の走査線である（Ｇ１０→Ｇ１２→Ｇ１４→Ｇ１６）のグループ（以下、「偶数グループ２」という。）とがそれぞれ、連続して走査されており、かつ、奇数番目の走査線が属するグループと偶数番目の走査線が属するグループとが、奇数グループ１→偶数グループ１→奇数グループ２→偶数グループ２→奇数グループ３と、交互に切り換えて走査されることにより、前記多数の走査線がすべて走査されており、かつ、奇数番目の走査線が属するグループと偶数番目の走査線が属するグループとの切り換え時に信号線駆動回路２の出力の極性が反転されている」ものである。
　
（ウ）
　また、上記（イ）の事項によれば、引用刊行物１に記載された「液晶表示装置」において、「奇数グループ１の最後に走査される走査線Ｇ３と偶数グループ１の最後に走査される走査線Ｇ８とは隣接しておらず、奇数グループ２の最初に走査される走査線Ｇ５と偶数グループ２の最初に走査される走査線Ｇ１０とは隣接しておらず、奇数グループ２の最後に走査される走査線Ｇ１１と偶数グループ２の最後に走査される走査線Ｇ１６とは隣接していない」ものとも言える。
　
（２Ａ−２−９）
　（２Ａ−２−１）〜（２Ａ−２−８）によれば、引用刊行物１には、以下の発明が記載されている。
「多数の走査線と多数の信号線の各交点に、マトリクス状に設けられている画素を有し、前記各画素は、スイッチング素子としての画素ＴＦＴと、液晶容量ＣＬ及び補助容量ＣＳを有する液晶パネル１と、
　前記各画素の画素ＴＦＴに接続された前記走査線に電圧を印加する走査線駆動回路３と、
　前記各画素の画素ＴＦＴに接続された前記信号線にアナログ信号を出力する信号線駆動回路２と、
　表示データが入力されるデータ信号用バッファ６と、
　入力された同期信号Ｈｓｙｎｃ、Ｖｓｙｎｃ及びクロック信号ＣＬＫに基づいて各回路部に必要なタイミング信号を生成するタイミング制御回路４と、走査順制御のためのタイミング信号を前記走査線駆動回路３に供給し、反転駆動のためのタイミング信号を前記信号線駆動回路２に供給する走査順制御回路７と、入力される前記表示データを走査順序に対応して１水平期間単位で順番を組替え、前記信号線駆動回路２に供給するデータ信号組替え供給回路８と
　を備え、
　前記多数の走査線は、奇数番目の走査線が属する第１グループ走査線群ａと、偶数番目の走査線が属する第２グループ走査線群ｂに分割されており、
　前記第１グループ走査線群ａに属する奇数番目の走査線は、第１ブロック内の奇数番目の走査線である（Ｇ１→Ｇ３）のグループ（以下、「奇数グループ１」という。）、第２ブロックと第３ブロック内の奇数番目の走査線である（Ｇ５→Ｇ７→Ｇ９→Ｇ１１）のグループ（以下、「奇数グループ２」という。）、第４ブロック内の奇数番目の走査線である（Ｇ１３→Ｇ１５）のグループ（以下、「奇数グループ３」という。）とがそれぞれ、連続して走査されており、
　かつ、前記第２グループ走査線群ｂに属する偶数番目の走査線は、第１ブロックと第２ブロック内の偶数番目の走査線である（Ｇ２→Ｇ４→Ｇ６→Ｇ８）のグループ（以下、「偶数グループ１」という。）、第３ブロックと第４ブロック内の偶数番目の走査線である（Ｇ１０→Ｇ１２→Ｇ１４→Ｇ１６）のグループ（以下、「偶数グループ２」という。）とがそれぞれ、連続して走査されており、
　かつ、奇数番目の走査線が属するグループと偶数番目の走査線が属するグループとが、奇数グループ１→偶数グループ１→奇数グループ２→偶数グループ２→奇数グループ３と、交互に切り換えて走査されることにより、前記多数の走査線がすべて走査されており、
　かつ、奇数番目の走査線が属するグループと偶数番目の走査線が属するグループとの切り換え時に信号線駆動回路２の出力の極性が反転されており、
　奇数グループ１の最後に走査される走査線Ｇ３と偶数グループ１の最後に走査される走査線Ｇ８とは隣接しておらず、奇数グループ２の最初に走査される走査線Ｇ５と偶数グループ２の最初に走査される走査線Ｇ１０とは隣接しておらず、奇数グループ２の最後に走査される走査線Ｇ１１と偶数グループ２の最後に走査される走査線Ｇ１６とは隣接していない
　液晶表示装置。」（以下、「引用発明１」という。）
　
（Ｂ）引用発明２
（２Ｂ−１）引用刊行物２の記載事項
　同じく、原査定の拒絶の理由に引用され、本願の出願前に頒布された刊行物である特開平９−１５５６０号公報（以下「引用刊行物２」という。）には、「液晶表示装置及び液晶表示素子の駆動方法」（発明の名称）の発明に関して、以下の事項が記載されている。 
　
＜記載事項７＞
「【０００１】
【産業上の利用分野】この発明は、液晶表示装置と液晶表示素子の駆動方法に関し、特に、所定期間毎に駆動電圧の極性を反転するアクティブマトリクス方式の液晶表示装置及びアクティブマトリクス方式の液晶表示素子の駆動方法に関する。」
　
＜記載事項８＞
「【０００４】この発明は上記実状に鑑みてなされたもので、消費電力の小さい液晶表示装置及び液晶表示素子の駆動方法を提供することを目的とする。また、この発明は、高品質の画像を表示できる液晶表示装置及び液晶表示素子の駆動方法を提供することを他の目的とする。
【０００５】
【課題を解決するための手段】上記目的を達成するため、この発明にかかる液晶表示装置は、スイッチング素子と該スイッチング素子の電流路の一端に接続された画素電極とがマトリクス状に形成された一方の基板と、前記画素電極に対向する対向電極が形成された他方の基板と、前記一方の基板と前記他方の基板との間に配置された液晶と、前記スイッチング素子の制御端に接続された走査ラインと、前記スイッチング素子の電流路の他端に接続されたデータラインと、を備える液晶表示素子と、前記データラインに接続され、前記データラインに順次映像信号に対応する電圧を複数の走査期間毎に極性を反転して印加するデータラインドライバと、前記走査ラインに接続され、前記走査ラインに順次パルス電圧を印加して、各走査ラインに接続されたスイッチング素子を第１の期間オンし、前記データラインドライバが反転された極性の電圧を出力するタイミングでは、前記第１の期間よりも長い第２の期間オンする走査ラインドライバと、より形成されることを特徴とする。」
　
＜記載事項９＞
「【０００８】ある極性の駆動電圧が印加されていたデータラインに逆極性の駆動電圧を印加する場合、データライン等を逆極性に充電するための時間が必要となる。この時間を確保しないと、極性を反転した後の駆動電圧が印加された画素と極性を反転していない駆動電圧が印加された画素とでは表示階調が異なってしまう。この発明では、極性が反転された駆動電圧を印加するタイミングでは、スイッチング素子のオン時間、即ち、選択期間を長くしている。従って、駆動電圧の極性を反転した場合でも、各データライン及び各画素を確実に充電し、所望の表示階調を得ることができる。」
　
（２Ｂ−２）引用刊行物２に記載された発明
　上記記載事項７〜記載事項９によれば、引用刊行物２には、以下の発明が記載されている。
「スイッチング素子を有する画素がマトリクス状に形成された液晶表示素子と、
　前記画素が接続されたデータラインに順次映像信号に対応する電圧を複数の走査期間毎に極性を反転して印加するデータラインドライバと、
　前記画素が接続された走査ラインに順次パルス電圧を印加して、各走査ラインに接続されたスイッチング素子を第１の期間オンし、前記データラインドライバが反転された極性の電圧を出力するタイミングでは、前記第１の期間よりも長い第２の期間オンする走査ラインドライバと
　を備えた液晶表示装置。」（以下、「引用発明２」という。）
　
（３）対比 
　本願補正発明と引用発明１とを比較する。 
　
（３−１）
　引用発明１の「液晶表示装置」は、本願補正発明の「液晶表示装置」に相当し、以下同様に、「マトリクス状に設けられている画素」は「マトリクス状に配設された画素」に、「液晶パネル１」は「表示手段」に相当する。
　
　そして、引用発明１の各画素は、スイッチング素子としての画素ＴＦＴと、液晶容量ＣＬ及び補助容量ＣＳを有するものであるから、引用発明１の各画素の「スイッチング素子としての画素ＴＦＴと、液晶容量ＣＬ及び補助容量ＣＳ」から構成される回路は、本願補正発明の「画素に対応する液晶表示素子」に相当する。
　
　よって、引用発明１の「多数の走査線と多数の信号線の各交点に、マトリクス状に設けられている画素を有し、前記各画素は、スイッチング素子としての画素ＴＦＴと、液晶容量ＣＬ及び補助容量ＣＳを有する液晶パネル１」は、本願補正発明の「マトリクス状に配設された画素に対応する液晶表示素子から構成される表示手段」に相当する。
　
（３−２）
　上記（３−１）によれば、引用発明１の各画素の「スイッチング素子としての画素ＴＦＴと、液晶容量ＣＬ及び補助容量ＣＳ」から構成される回路は、本願補正発明の「画素に対応する液晶表示素子」に相当する。
　よって、引用発明１の「前記各画素の画素ＴＦＴに接続された前記走査線」は、本願補正発明の「前記画素に対応する前記液晶表示素子に接続された走査線」に相当し、引用発明１の「前記各画素の画素ＴＦＴに接続された前記信号線」は、本願補正発明の「前記画素に対応する前記液晶表示素子に接続された信号線」に相当する。
　
　したがって、引用発明１の「前記各画素の画素ＴＦＴに接続された前記走査線に電圧を印加する走査線駆動回路３」は、本願補正発明の「前記画素に対応する前記液晶表示素子に接続された走査線を駆動する第１の駆動手段」に相当する。
　また、引用発明１の「前記各画素の画素ＴＦＴに接続された前記信号線にアナログ信号を出力する信号線駆動回路２」は、本願補正発明の「前記画素に対応する前記液晶表示素子に接続された信号線を駆動する第２の駆動手段」に相当する。
　
（３−３）
　引用発明１の「表示データ」は、液晶パネル１に表示される画像に対応する信号であるから、引用発明１の、液晶パネル１に表示される画像に対応する信号である、「表示データ」は、本願補正発明の「前記表示手段に表示させるフレームに対応する画像信号」に相当する。
　
　よって、引用発明１の「表示データが入力されるデータ信号用バッファ６」は、本願補正発明の「前記表示手段に表示させるフレームに対応する画像信号を取得する画像取得手段」に相当する。
　
（３−４）
　引用発明１の「タイミング制御回路４」は、各回路部に必要なタイミング信号を生成し、「データ信号組替え供給回路８」は、「データ信号用バッファ６」で受け取った入力される前記表示データを走査順序に対応して１水平期間単位で順番を組替え、前記信号線駆動回路２に供給するものであり、「走査順制御回路７」は、走査順制御のためのタイミング信号を前記走査線駆動回路３に供給し、反転駆動のためのタイミング信号を前記信号線駆動回路２に供給するものである。
　よって、引用発明１の「タイミング制御回路４」と「データ信号組替え供給回路８」と「走査順制御回路７」は、全体として、「データ信号用バッファ６」で受け取った「表示データ」に基づいて、「前記走査線駆動回路３」および「前記信号線駆動回路２」を制御する回路群であると言える。
　
　したがって、引用発明１の、全体として、「データ信号用バッファ６」で受け取った「表示データ」に基づいて、「前記走査線駆動回路３」および「前記信号線駆動回路２」を制御する回路群である、「タイミング制御回路４」と「データ信号組替え供給回路８」と「走査順制御回路７」は、本願補正発明の「前記画像取得手段により取得された前記画像信号に基づいて、前記第１の駆動手段および前記第２の駆動手段を制御する制御手段」に相当する。
　
（３−５）
　引用発明１の「多数の走査線」は、引用発明１の「液晶パネル１」全体に表示される画像に対応するものであるから、引用発明１の、「液晶パネル１」全体に表示される画像に対応する、「多数の走査線」は、本願補正発明の「前記表示手段に表示される前記フレームを構成する複数の水平走査ライン」に相当する。
　
　また、引用発明１の「奇数グループ１」と「奇数グループ２」と「奇数グループ３」とが担当する領域は、それぞれ、引用発明１の「多数の走査線」のうちの奇数番目の走査線のみが走査される領域である。
　同様に、引用発明１の「偶数グループ１」と「偶数グループ２」とが担当する領域は、それぞれ、引用発明１の「多数の走査線」のうちの偶数番目の走査線のみが走査される領域である。
　そして、引用発明１の「奇数グループ１」が担当する領域は第１ブロック内にあり、以下同様に、「奇数グループ２」が担当する領域は第２ブロックと第３ブロック内に、「奇数グループ３」が担当する領域は第４ブロック内に、「偶数グループ１」が担当する領域は第１ブロックと第２ブロック内に、「偶数グループ２」が担当する領域は第３ブロックと第４ブロック内にあるから、引用発明１の「奇数グループ１」と「奇数グループ２」と「奇数グループ３」とが担当する領域のそれぞれと、引用発明１の「偶数グループ１」と「偶数グループ２」とが担当する領域のそれぞれとは、異なる領域である。
　
　よって、引用発明１の、「多数の走査線」のうちの奇数番目の走査線のみが走査される領域である、「奇数グループ１」と「奇数グループ２」と「奇数グループ３」とが担当する領域は、本願補正発明の「前記複数の水平走査ラインのうちの奇数番目に存在する奇数ラインのみを走査する複数の奇数ライン用領域」に相当する。
　また、引用発明１の、「奇数グループ１」と「奇数グループ２」と「奇数グループ３」とが担当する領域と異なる領域であって、「多数の走査線」のうちの偶数番目の走査線のみが走査される領域である、「偶数グループ１」と「偶数グループ２」とが担当する領域は、本願補正発明の「前記複数の奇数ライン用領域それぞれとは異なる偶数ライン用領域であって、且つ、前記複数の水平走査ラインのうちの偶数番目に存在する偶数ラインのみを走査する複数の前記偶数ライン用領域」に相当する。
　
　したがって、引用発明１の「前記多数の走査線は、奇数番目の走査線が属する第１グループ走査線群ａと、偶数番目の走査線が属する第２グループ走査線群ｂに分割されており、前記第１グループ走査線群ａに属する奇数番目の走査線は、第１ブロック内の奇数番目の走査線である（Ｇ１→Ｇ３）のグループ（以下、「奇数グループ１」という。）、第２ブロックと第３ブロック内の奇数番目の走査線である（Ｇ５→Ｇ７→Ｇ９→Ｇ１１）のグループ（以下、「奇数グループ２」という。）、第４ブロック内の奇数番目の走査線である（Ｇ１３→Ｇ１５）のグループ（以下、「奇数グループ３」という。）とがそれぞれ、連続して走査されており、かつ、前記第２グループ走査線群ｂに属する偶数番目の走査線は、第１ブロックと第２ブロック内の偶数番目の走査線である（Ｇ２→Ｇ４→Ｇ６→Ｇ８）のグループ（以下、「偶数グループ１」という。）、第３ブロックと第４ブロック内の偶数番目の走査線である（Ｇ１０→Ｇ１２→Ｇ１４→Ｇ１６）のグループ（以下、「偶数グループ２」という。）とがそれぞれ、連続して走査されて」いることは、本願補正発明の「前記表示手段に表示される前記フレームを構成する複数の水平走査ラインを走査するフレーム領域を、前記複数の水平走査ラインのうちの奇数番目に存在する奇数ラインのみを走査する複数の奇数ライン用領域に分割するとともに、前記フレーム領域を、前記複数の奇数ライン用領域それぞれとは異なる偶数ライン用領域であって、且つ、前記複数の水平走査ラインのうちの偶数番目に存在する偶数ラインのみを走査する複数の前記偶数ライン用領域に分割し」ていることに相当する。
　
（３−６）
　上記（３−５）によれば、引用発明１の「奇数グループ１」と「奇数グループ２」と「奇数グループ３」とが担当する領域は、本願補正発明の「複数の奇数ライン用領域」に相当し、引用発明１の「偶数グループ１」と「偶数グループ２」とが担当する領域は、本願補正発明の「複数の偶数ライン用領域」に相当する。
　よって、引用発明１の「奇数番目の走査線が属するグループと偶数番目の走査線が属するグループとが、奇数グループ１→偶数グループ１→奇数グループ２→偶数グループ２→奇数グループ３と、交互に切り換えて走査されること」は、本願補正発明の「前記奇数ライン用領域と前記偶数ライン用領域とを交互に切換えて走査すること」に相当する。
　
　したがって、引用発明１の「奇数番目の走査線が属するグループと偶数番目の走査線が属するグループとが、奇数グループ１→偶数グループ１→奇数グループ２→偶数グループ２→奇数グループ３と、交互に切り換えて走査されることにより、前記多数の走査線がすべて走査されて」いることは、本願補正発明の「前記奇数ライン用領域と前記偶数ライン用領域とを交互に切換えて走査することにより前記フレームを構成する前記複数の水平走査ラインを走査」することに相当する。
　
（３−７）
　引用発明１の「奇数番目の走査線が属するグループと偶数番目の走査線が属するグループとの切り換え時」は、本願補正発明の「記奇数ライン用領域と前記偶数ライン用領域との切換え時」に相当する。
　また、上記（３−２）によれば、引用発明１の「信号線駆動回路２」は、本願補正発明の「第２の駆動手段」に相当する。
　
　よって、引用発明１の「奇数番目の走査線が属するグループと偶数番目の走査線が属するグループとの切り換え時に信号線駆動回路２の出力の極性が反転されて」いることは、本願補正発明の「前記奇数ライン用領域と前記偶数ライン用領域との切換え時に極性信号が反転するように、前記第２の駆動手段を制御」することに相当する。
　
（３−８）
　引用発明１は、奇数グループ１の後に、偶数グループ１に切り換え、奇数グループ２の後に、偶数グループ２に切り換えるものである。
　
　よって、引用発明１の「奇数グループ１の最後に走査される走査線Ｇ３と偶数グループ１の最後に走査される走査線Ｇ８とは隣接して」いないことは、本願補正発明の「切換え前の前記奇数ライン用領域と切換え後の前記偶数ライン用領域とは、切換え前後の前記奇数ライン用領域および前記偶数ライン用領域それぞれにおいて、・・・最後に走査される水平走査ラインどうし・・・が隣接しない」ことに相当し、引用発明１の「奇数グループ２の最初に走査される走査線Ｇ５と偶数グループ２の最初に走査される走査線Ｇ１０とは隣接しておらず、奇数グループ２の最後に走査される走査線Ｇ１１と偶数グループ２の最後に走査される走査線Ｇ１６とは隣接していない」ことは、本願補正発明の「切換え前の前記奇数ライン用領域と切換え後の前記偶数ライン用領域とは、切換え前後の前記奇数ライン用領域および前記偶数ライン用領域それぞれにおいて、最初に走査される水平走査ラインどうし、または最後に走査される水平走査ラインどうし・・・が隣接しない」ことに相当する。
　
　したがって、引用発明１の「奇数グループ１の最後に走査される走査線Ｇ３と偶数グループ１の最後に走査される走査線Ｇ８とは隣接しておらず、奇数グループ２の最初に走査される走査線Ｇ５と偶数グループ２の最初に走査される走査線Ｇ１０とは隣接しておらず、奇数グループ２の最後に走査される走査線Ｇ１１と偶数グループ２の最後に走査される走査線Ｇ１６とは隣接していない」ことは、本願補正発明の「切換え前の前記奇数ライン用領域と切換え後の前記偶数ライン用領域とは、切換え前後の前記奇数ライン用領域および前記偶数ライン用領域それぞれにおいて、最初に走査される水平走査ラインどうし、または最後に走査される水平走査ラインどうしの少なくとも一方が隣接しないように、前記フレーム領域を分割して得られる領域である」ことに相当する。
　
（３−９）
　したがって、本願補正発明と引用発明１の両者は、
「マトリクス状に配設された画素に対応する液晶表示素子から構成される表示手段と、
　前記画素に対応する前記液晶表示素子に接続された走査線を駆動する第１の駆動手段と、
　前記画素に対応する前記液晶表示素子に接続された信号線を駆動する第２の駆動手段と、
　前記表示手段に表示させるフレームに対応する画像信号を取得する画像取得手段と、
　前記画像取得手段により取得された前記画像信号に基づいて、前記第１の駆動手段および前記第２の駆動手段を制御する制御手段と
　を備え、
　前記制御手段は、
　前記表示手段に表示される前記フレームを構成する複数の水平走査ラインを走査するフレーム領域を、前記複数の水平走査ラインのうちの奇数番目に存在する奇数ラインのみを走査する複数の奇数ライン用領域に分割するとともに、
　前記フレーム領域を、前記複数の奇数ライン用領域それぞれとは異なる偶数ライン用領域であって、且つ、前記複数の水平走査ラインのうちの偶数番目に存在する偶数ラインのみを走査する複数の前記偶数ライン用領域に分割し、
　前記奇数ライン用領域と前記偶数ライン用領域とを交互に切換えて走査することにより前記フレームを構成する前記複数の水平走査ラインを走査するように、前記第１の駆動手段を制御し、
　前記奇数ライン用領域と前記偶数ライン用領域との切換え時に極性信号が反転するように、前記第２の駆動手段を制御し、
　切換え前の前記奇数ライン用領域と切換え後の前記偶数ライン用領域とは、切換え前後の前記奇数ライン用領域および前記偶数ライン用領域それぞれにおいて、最初に走査される水平走査ラインどうし、または最後に走査される水平走査ラインどうしの少なくとも一方が隣接しないように、前記フレーム領域を分割して得られる領域である
　液晶表示装置。」の点で一致し、以下の点で相違する。
　
［相違点］
　第１の駆動制御手段の制御に関し、本願補正発明においては「切換え後の最初の水平走査ラインの書き込み時間が、他の水平走査ラインの書き込み時間よりも長く設定されるように」制御するのに対し、引用発明１にはそのような発明特定事項が特定されていない点。
　
（４）当審の判断 
相違点について
　上記（２Ｂ−２）で述べたように、引用刊行物２には、以下の引用発明２が記載されている。
「スイッチング素子を有する画素がマトリクス状に形成された液晶表示素子と、
　前記画素が接続されたデータラインに順次映像信号に対応する電圧を複数の走査期間毎に極性を反転して印加するデータラインドライバと、
　前記画素が接続された走査ラインに順次パルス電圧を印加して、各走査ラインに接続されたスイッチング素子を第１の期間オンし、前記データラインドライバが反転された極性の電圧を出力するタイミングでは、前記第１の期間よりも長い第２の期間オンする走査ラインドライバと
　を備えた液晶表示装置。」　
　
　そして、引用発明２は、走査期間として、データラインドライバが反転された極性の電圧を出力する期間と、データラインドライバが同一極性の電圧を出力する期間とがあるものである。
　一方、引用発明１も、異なるグループ間の走査期間では、信号線駆動回路２の出力の極性が反転されるのに対し、一つのグループ内での走査期間では、信号線駆動回路２の出力の極性が反転されないものである。
　
　よって、引用発明１と引用発明２とは「液晶表示装置の制御」という同一の技術分野に属すると共に、極性反転駆動を行うものであって、各走査期間には、極性反転が行われる期間と極性反転が行われない期間の２種類の走査期間がある点で共通する。また、「高画質の表示を行う」との課題も共通する。
　したがって、引用発明１において、異なるグループ間の走査期間では、信号線駆動回路２の出力の極性が反転されるのに対し、一つのグループ内での走査期間では、信号線駆動回路２の出力の極性が反転されないものと、２種類の走査期間を有しているところ、高画質の表示を得るために、引用発明２の技術を適用して、異なるグループ間の走査期間（本願補正発明の「切換え後の最初の水平走査ライン」の走査期間に相当する。以下同様。）の長さ（「書き込み時間」）を、一つのグループ内での走査期間（「他の水平走査ライン」の長さ（「書き込み時間」）よりも長くすることは、当業者が容易になし得たことである。
　以上のとおり、上記相違点に係る本願補正発明の発明特定事項は、当業者が引用発明１及び引用発明２に基づいて容易に想到し得たことである。
　
　そして、本願補正発明によってもたらされる効果は、引用発明１及び引用発明２から想定することができない格別のものと認めることもできない。
　
　したがって、本願補正発明は、引用発明１及び引用発明２に基づいて当業者が容易に発明をすることができたものである。
　
　よって、本願補正発明は、第２９条第２項の規定により、特許出願の際独立して特許を受けることができない。 
　
（５）まとめ 
　以上のとおり、本件補正は、特許法第１７条の２第６項において準用する特許法第１２６条第５項の規定に違反するから、特許法第１５９条第１項で読み替えて準用する特許法第５３条第１項の規定により却下されるべきものである。 
　
３　本願発明について 
　
　平成２２年８月６日付け手続補正は上記のとおり却下されたので、本願の請求項１に係る発明（以下、「本願発明」という。）は、本願の請求項１に係る発明（以下、「本願発明」という。）は、平成２２年４月５日付けの手続補正により補正された明細書、特許請求の範囲、及び図面の記載からみて、その請求項１に記載された事項により特定されるとおりのものと認める。（前記「２」の項参照。） 
　
４　引用刊行物 
　
　引用刊行物１に記載された引用発明１は、前記「２　（２Ａ−２−９）」に記載されたとおりである。 
　引用刊行物２に記載された引用発明２は、前記「２　（２Ｂ−２）」に記載されたとおりである。
　
５　対比・判断
　
　本願発明は、前記「２」で検討した本願補正発明から、「切換え前の前記奇数ライン用領域と切換え後の前記偶数ライン用領域とは、切換え前後の前記奇数ライン用領域および前記偶数ライン用領域それぞれにおいて、最初に走査される水平走査ラインどうし、または最後に走査される水平走査ラインどうしの少なくとも一方が隣接しないように、前記フレーム領域を分割して得られる領域である」との発明特定事項を省いたものである。
　そうすると、本願発明の発明特定事項をすべて含み、さらに他の発明特定事項を付加したものに相当する本願補正発明が、前記「２　（４）当審の判断」に記載したとおり引用発明１及び引用発明２に基づいて当業者が容易に発明をすることができたものであるから、本願発明も同様の理由により、引用発明１及び引用発明２に基づいて当業者が容易に発明をすることができたものである。
　
６．むすび
　したがって、本願発明は、引用発明１及び引用発明２に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　
　よって、結論のとおり審決する。